(57)【要約】  本発明は、電子機器（１０）を収容するための基部（１２）と、電子機器（１０）を基部（１２）に固定可能にする固定要素（２６）とを有する自動車内の携帯電子機器（１０）用の保持装置であって、基部（１２）が、電子機器（１０）を保持装置内に挿入可能にするためのそれぞれの側面ガイド要素（２４）を有するガイド装置（２２）を備える保持装置に関する。【選択図】図１
2016537848.tif 000002
【特許請求の範囲】
【請求項１】
電子機器（１０）を収容するための基部（１２）と、前記電子機器（１０）を前記基部（１２）に固定可能にする固定要素（２６）とを有する自動車内の携帯電子機器（１０）用の保持装置であって、
前記基部（１２）が、前記電子機器（１０）を保持装置内に挿入可能にするためのそれぞれの側面ガイド要素（２４）を有するガイド装置（２２）を備える、保持装置。
【請求項２】
前記電子機器（１０）がそれぞれの前記側面ガイド要素（２４）によって挿入位置に定置されることを特徴とする、請求項１に記載の保持装置。
【請求項３】
前記固定要素（２６）を、解放位置と、前記固定要素（２６）がセルフロック軸受により前記電子機器（１０）を定置させる固定位置との間で移動可能であることを特徴とする、請求項１又は請求項２に記載の保持装置。
【請求項４】
前記固定要素（２６）が、軸受中心軸（Ｌ）の一方の側に配置された取っ手（２８）と、前記軸受中心軸（Ｌ）の反対側に配置された少なくとも１つの定置要素（３０）とを有する揺動部材として形成されることを特徴とする、請求項１〜請求項３の何れか一項に記載の保持装置。
【請求項５】
前記固定要素（２６）が、前記電子機器（１０）を前記保持装置に挿入すると、前記固定要素（２６）を前記解放位置に移動可能にする少なくとも１つのスライド用傾斜面（３３）を有することを特徴とする、請求項１〜請求項４の何れか一項に記載の保持装置。
【請求項６】
前記ガイド装置（２２）に、そのばね力に抗して前記電子機器（１０）を前記保持装置内に挿入可能であり、又はそのばね力によって前記固定要素（２６）のロック解除後に前記電子機器（１０）を前記保持装置内から引き出し可能なばね支持部材（４４）が割り当てられていることを特徴とする、請求項１〜請求項５の何れか一項に記載の保持装置。
【請求項７】
前記固定要素（２６）が、前記基部（１２）の後壁（１４）の開口部（４２）を囲む少なくとも概ねＵ形の弓状部材として形成されることを特徴とする、請求項１〜請求項６の何れか一項に記載の保持装置。
【請求項８】
前記基部（１２）が、その後壁（１４）の前記固定要素（２６）と反対向きの正面に、前記基部（１２）の前記後壁（１４）の前記開口部（４２）をまたぐフレーム要素（２０）を有する周囲フレーム（１６）を備えることを特徴とする、請求項７に記載の保持装置。
【発明の詳細な説明】
【技術分野】
【０００１】
本発明は、請求項１の前段に記載の自動車内の携帯電子機器用の保持装置に関する。
【背景技術】
【０００２】
このような保持装置が、例えば特許文献１から公知であることが知られており、いわゆるスマートフォン又はいわゆるタブレット型コンピュータの形態の携帯電子機器を収容する役割を果たす。ここで、保持装置は、電子機器の下端部側を置くための断面が少なくとも概ねＬ形の収容レールを有する基部を含んでいる。電子機器は下端部と反対側の上端部で、基部に対して電子機器の高さ方向に調整可能な弓形の固定要素によって固定される。
【０００３】
更に別のこのような保持装置は、特許文献２から公知であることが知られており、これも下端部に電子機器をゆるく保持するためのボックス状収容部を具備する。保持装置のボックス状収容部の基部とは反対側の上面には、更に解放位置と電子機器を基部に保持する固定位置との間を移動可能な弓形の固定要素が備えられている。
【０００４】
両方の保持装置は、それぞれの電子機器の限定的な保持又は固定だけが可能であることで共通している。特に両方の保持装置の場合、それぞれの電子機器の側面を確実に保持することができない。
【先行技術文献】
【特許文献】
【０００５】
【特許文献１】独国特許出願公開第１０  ２０１２  ００９  ６５８  Ａ１号明細書
【特許文献２】独国実用新案第２０  ２０１１  １０６  １８５  Ｕ１号明細書
【発明の概要】
【発明が解決しようとする課題】
【０００６】
したがって本発明の課題は、それぞれの電子機器のより確実な保持を保証する、冒頭に記載の保持装置を製造することにある。
【課題を解決するための手段】
【０００７】
上記の課題は、請求項１の特徴を有する保持装置によって解決される。本発明の有用な発展形態を有する有利な実施形態は、その他の請求項に記載されている。
【０００８】
電子機器の改善された保持を達成する保持装置を製造するため、本発明により、基部は、電子機器を保持装置内に挿入可能なそれぞれの側面ガイド要素を有するガイド装置を具備するように構成されている。その結果、先行技術とは異なり、本発明により、それぞれの側面ガイド要素がそれぞれの電子機器を基部に正確に挿入できるようにし、他方では電子機器がそれぞれのガイド要素によって挿入位置、又は挿入状態に確実に保たれることを保証する基部が備えられる。したがって、側面ガイド要素によって、操作時に基部へのより簡単な固定手順を達成できるだけではなく、更に、挿入後に電子機器を基部にはるかに好適に固定することが可能になる。
【０００９】
これに対して、特に特許文献２に記載の先行技術は、基部の下端部にボックス状の収容部を既に示しているが、これはそれぞれの電子機器の横移動を可能にするものではなく、特にそれぞれの電子機器のそれぞれの操作面に対して垂直な基部に十分に固定することも保証されない。
【００１０】
したがって、全体として本発明により、対応する電子機器を手動で簡単に押し込み、定置させることができることが分かる。特に自動車の走行中は、電子機器が保持装置に対して動くことができないように特に確実に固定される。
【００１１】
本発明の更なる実施形態では、それぞれの側面ガイド要素によって電子機器が挿入位置に定置されるように構成されている。言い換えると、それにより、側面ガイド要素によって電子機器を保持装置に固定する再現可能かつ簡単な手順が可能になるだけではなく、更に挿入位置に確実に固定することが可能になる。
【００１２】
更に有利には、固定要素を解放位置と、固定要素がセルフロック式軸受によって電子機器を定置させる固定位置との間で移動することができる。したがって、本発明に係る固定要素は、ばね要素などが電子機器のガイド要素からの押し出し運動に対抗する適宜のばね力を加えなくても、電子機器の定置位置に固定されるように形成されている。
【００１３】
更なる有利な実施形態は、固定要素が軸受中心軸の一方の側に配置された取っ手と、軸受中心軸の他方の側に配置された定置要素とを有する揺動部材として形成されるように構成されている。このような揺動部材は操作者が極めて簡単に直感で操作可能であり、更に基部内の電子機器を特に好適に固定することができる。
【００１４】
好適な実施形態は、電子機器を保持装置内に挿入すると、固定要素を解放位置に移動できるようにする少なくとも１つのスライド用傾斜面を有するように、固定要素が構成されている。言い換えると、少なくとも１つのスライド用傾斜面によって、取っ手で固定要素を別個に操作しなくても、固定要素が自動的に解放位置に移動することが可能になる。それによって、特に簡単に電子機器が保持装置内に定置され、又は保持装置への挿入動作が行われることとなる。
【００１５】
本発明の有利な実施形態では、ガイド装置にはばね支持部材が取り付けられており、そのばね力に抗して電子機器を保持装置内に挿入可能であり、又は電子機器をロック解除した後、そのばね力によってこれを固定要素から押し出し、又は放出することが可能である。それによって、特に電子機器を放出することによって、電子機器を特に簡単に基部から取り出すことができる。
【００１６】
更なる有利な実施形態は、固定要素が、基部の後壁の開口部を囲む少なくとも概ねＵ形の弓状部材として形成されるように構成されている。それによって、全体として、Ｕ形の弓状部材を片手で簡単に操作でき、同時に電子機器を取り出すことができる構成になる。
【００１７】
これに関連して最後に、基部がその後壁の固定要素と反対向きの正面に、基部の後壁の開口部をまたぐフレーム要素を有する周囲フレームを具備することが有利であることが示されている。電子機器を挿入した状態では、電子機器の上面にあるこのさらなるフレーム要素によって、取り扱いが特に簡単になる。
【００１８】
本発明のその他の利点、特徴及び詳細は、図面を参照して好適な実施形態の以下の説明によって明らかになる。
【図面の簡単な説明】
【００１９】
【図１ａ】電子機器を収容するための基部と、電子機器を収容可能にする弓状固定要素とを有し、基部が電子機器を保持装置内に挿入するためのそれぞれの側面ガイド要素を有するガイド装置を具備する、タブレット型コンピュータの形態の携帯電子機器用の保持装置の正面図である。
【図１ｂ】電子機器を収容するための基部と、電子機器を収容可能にする弓状固定要素とを有し、基部が電子機器を保持装置内に挿入するためのそれぞれの側面ガイド要素を有するガイド装置を具備する、タブレット型コンピュータの形態の携帯電子機器用の保持装置の背面斜視図である。
【図２ａ】対応するタブレット型コンピュータがそれぞれ基部に挿入され、挿入位置で固定要素によって固定される、図１ａに示す保持装置の斜め上方から見た斜視図である。
【図２ｂ】対応するタブレット型コンピュータがそれぞれ基部に挿入され、挿入位置で固定要素によって固定される、図１ｂに示す保持装置の斜め後方から見た斜視図である。
【図３】別個に示した固定要素の斜視図である。
【図４】電子機器の挿入、引き出し時に解放位置と固定位置との間で固定要素が移動可能な態様が特に示されている、保持装置のそれぞれの断面図で示す固定要素の一連の３つの機能手順を示す図である。
【図５】ガイド装置が、そのばね力に抗して電子機器を保持装置内に挿入可能であり、又はそのばね力によって固定要素のロック解除後に電子機器を保持装置内から引き出し可能なばね支持部材を具備する保持装置の基部の平面図、及び２つの断面図である。
【図６ａ】図１ａから図５に示した保持装置の固定要素領域の平面斜視図である。
【図６ｂ】図１ａから図５に示した保持装置の固定要素領域を斜め上方から見た斜視図である。
【発明を実施するための形態】
【００２０】
図１ａ及び１ｂにはそれぞれ、図２ａ及び２ｂに更に示す携帯電子機器１０用の保持装置の平面図、及び背面斜視図が示されている。この場合、電子機器１０は、いわゆるタブレット型コンピュータである。しかし同様に、モバイルフォン、又は他の電子機器用の保持装置を備えることも考えられる。この場合、保持装置は、自動車の車室、特にリアシートのそれぞれのシート位置用に配置されている。保持装置は、それぞれのフロントシートの背後、又は他の内装部品に配置することもできる。
【００２１】
特に図１ａ及び図１ｂから分かるように、保持装置は先ず、後壁１４、及びこれを囲むフレーム１６を含む基部１２を含んでいる。
【００２２】
それぞれ斜視図で示す図２ａ及び２ｂと関連して分かるように、基部１２には電子機器１０を挿入可能である。そのために基部１２は、一方では後壁１４によって、他方ではフレーム１６のフレーム要素２０で画定されている挿入開口部１８を具備している。
【００２３】
電子機器１０を基部１２内に特に好適に挿入又はガイドし、定置させることができるように、基部は、基部１２の長手側に沿って少なくともほぼ全長にわたって延びるそれぞれの側面ガイド要素２４を有するガイド装置２２を含んでいる。その際、ガイド要素２４の間隔とそれぞれの外形は電子機器１０の形状に適合されているため、好適にはわずかな遊隙をもって、しかし良好に誘導されて、電子機器を、ガイド要素２４によって形成されているカセット状収容部内に挿入することができる。その際、側面ガイド要素２４は電子機器１０を囲むので、電子機器１０を横方向にも縦方向にも定置させる形状固定状態が生じる。その際、後壁１４にもそれぞれのガイド要素２４にも、その電子機器１０に向いた側、又は対応する面に、適宜のコーティング、カバーまたは類似物などを備えることができる。
【００２４】
図３は、固定要素２６を単独の斜視図で示しており、これにより電子機器１０は図２ａ及び図２ｂでは挿入位置に、又は基部１２の位置に完全に挿入された状態で固定され、したがって、固定要素２６を操作せずに筒状のガイド装置２２からもはや引き出すことはできない。固定要素２６の基部１２への配置は、図１ｂ、図２ａ及び図２ｂに示されている。固定要素２６の具体的な機能性は特に図４に示されている。ここで図４は、基部１２への固定要素２６の配置、及び機能性を保持装置の３つの断面図でそれぞれ示している。
【００２５】
図４から先ず、固定要素が、軸受中心軸Ｌの一方の側に配置された取っ手２８と、軸受中心軸Ｌの反対側に配置された、図４ではそれぞれの断面図で示される２つの定置要素３０とを有する揺動部材として形成されていることが分かる。その際、定置要素３０は、図３から分かるように全体としてＵ型の固定要素２６の両端の各々に設けられている。特に図１ａ〜図２ｂと関連して分かるように、軸受中心軸Ｌは基部１２の横方向に延びている。
【００２６】
更にまた図３及び図４から、取っ手２８の下側に少なくとも１つのばね要素３２が設けられ、そのばね力に抗して固定要素２６が図４の中央の図に示す固定位置から、図４の左右に示す解放位置へと移動可能であることが分かる。
【００２７】
その際、固定要素２６は一方では、図４の左図に示すように、電子機器１０が矢印３４の方向に基部１２のガイド装置２２に押し込まれると、解放位置に移動されることができる。ここで、固定要素２６のそれぞれの定置要素３０は、電子機器１０を保持装置に押し込むと、固定要素２６を矢印３６の方向の解放位置に移動可能にするそれぞれ１つのスライド用傾斜面３３を有している。他方では、取っ手２８を操作し、又は押して固定要素２６を矢印３８の方向の解放位置に動かすことができ、それによって電子機器を、それぞれの定置要素３０から離れて、矢印４０の方向に取り出すことができる。
【００２８】
特に図４から更に、固定要素２２が軸受中心軸Ｌを中心とするセルフロック式の構成、又は軸受を備えていることが分かる。これは、固定位置では電子機器１０の押し出し方向に加わる力が、固定要素２６を動かすように作用しないことを意味している。そのためにはむしろ、先ず電子機器１０を取り出す前に取っ手２８を操作する必要がある。
【００２９】
特に図１ａ〜図２ｂから更に、後壁１４には実質的に台形に形成された開口部４２が設けられていることが分かる。この開口部４２は、Ｕ形の固定要素２６によって間隔を隔てて囲まれている。開口部４２と固定要素２６との組み合せには、取っ手２８を操作し、同じ手で電子機器１０をガイド装置２２から、又は基部１２の収容部から簡単に取り出せるという利点がある。
【００３０】
図５は、保持装置の正面図と２つの断面図を示しており、特に２つの断面図では、基部１２の下部の、固定要素２６と反対側の領域だけが示されている。この下部の狭い側のフレーム１６の領域には、この場合はそれぞれのばね要素４８を介してフレーム１６の外表面に支持された２つの底部４６を含むばね支持部材４４が備えられている。その際、両方の底部４６の各々は、図２ｂにそれぞれ破線の楕円で示されるフレーム１６の位置５０にある。その際、もちろん一体の底部４６も考えられる。その際、ばね装置４４は、そのばね力に抗して電子機器１０を保持装置に押し込む作用を果たす。そこで、それぞれのばね要素４８の圧縮応力が生じる。電子機器１０の使用後に固定要素２６の取っ手２８を操作し、その結果、図４の中央の図に示すようにロック効果が解除されると、ばね支持部材４４のばね力によって電子機器１０は基部１２のガイド装置２２から、又は収容部から押し出され、又は放出される。それによって、片手だけで固定要素２６の取っ手２８をより良く操作すること、又は電子機器１０を取り出すことが容易になる。
【００３１】
特に図５から、フレーム１６が下方の幅の狭い側に、挿入位置にある技術的な機器１０を壁５４で囲む対応するフレーム条片５２を備えていることも分かる。それによって、それぞれのガイド要素２４により、例えばフレーム条片５２として形成された対応する溝状のガイドがなされるだけではなく、固定要素２６とは反対側の下側からのガイドもなされる。フレーム条片５２の反対側では、開口部４２を覆うフレーム要素２０によって技術的な機器１０の特に好適な位置決めがなされる。それによって、電子機器１０の４つの外面の全てが好適に基部１２によって収容される。
【００３２】
最後に図６ａ及び６ｂは、挿入開口部１８の領域にある基部１２の正面図と斜視図とを示している。図６ａには、特に固定要素２６のそれぞれの定置要素３０の位置決めが再び示されている。図６ｂは特に、この場合はタブレット型コンピュータであるそれぞれの電子機器１０に適合する挿入開口部１８の具体的な形状を再び示している。
【図１ａ】
2016537848.tif 000003
【図１ｂ】
2016537848.tif 000004
【図２ａ】
2016537848.tif 000005
【図２ｂ】
2016537848.tif 000006
【図３】
2016537848.tif 000007
【図４】
2016537848.tif 000008
【図５】
2016537848.tif 000009
【図６ａ】
2016537848.tif 000010
【図６ｂ】
2016537848.tif 000011
【国際調査報告】
2016537848.tif 000012
2016537848.tif 000013
2016537848.tif 000014
2016537848.tif 000015
2016537848.tif 000016
2016537848.tif 000017